(57)【要約】【課題】竹製層板構造の提供。【解決手段】竹製層板構造は、竹材からなる方形フレーム上面に、複数の竹材細板を嵌設して層板を構成し、層板下方両側と中間に、それぞれ、トラックと中間トラックを有し、且つ、トラックとフレーム体の下面の間に距離を有して、相隣する両トラックに、枠を有する置物袋を組み合わせ、枠が両トラックに沿って滑動し、引き出しの功能を有する。フレームを組み合わせて、竹製層板をフレーム間に組み合わせて、屏風にすることもできる。【選択図】    図２
0003146760.tif 000002
【実用新案登録請求の範囲】
【請求項１】
竹製層板構造であって、主に、フレーム体と、複数の竹材細板と、二トラックと、からなり、
前記フレーム体は、竹製で、方形の封閉枠を構成し、枠の内径中間に、相対する両側の補強棒を連接し、前記補強棒、及び、前記補強棒と平行なフレーム体の両側表面に、複数の直線対応する嵌槽を設置し、
前記複数の竹材細板は、それぞれ、前記フレーム体両側の嵌槽、及び、前記補強棒上の各嵌槽に嵌設され、
前記二トラックは、上面の相対両側に、それぞれ、上方に突起する凸ブロックを有し、前記二トラックの凸ブロックは、それぞれ、前記フレーム体両側下面に接触して、固定し、前記トラックと前記フレーム体下面の間に距離を保ち、
前記相隣する二トラックに、枠を有する置物袋を組み合わせ、前記枠が前記両トラックに沿って滑動し、引き出し功能を有することを特徴とする竹製層板構造。
【請求項２】
更に、前記フレーム体下方の中間に、中間トラックを設置し、前記中間トラックの上面中央に上方に突起したブロックを有し、前記ブロックは前記補強棒の下面に接触して、固定され、前記中間トラックとフレーム体下面の間に距離を保つことを特徴とする請求項１に記載の竹製層板構造。
【請求項３】
更に、フレームを有し、前記フレームは、門構えフレーム、及び、二細棒からなり、前記門構えフレームの両端は鞘槽を設置し、前記細棒上端は、前記鞘槽と相補する鞘ブロックを設置し、前記鞘ブロックと前記鞘槽の組み合わせ後、ねじで鎖固し、前記両細棒の相対両側に、前記フレーム体を滑動させる槽溝を有し、屏風を構成することを特徴とする請求項１に記載の竹製層板構造。
【考案の詳細な説明】
【技術分野】
【０００１】
本考案は竹材により製造された層板に関するものであって、特に、置物フレーム、屏風、陳列板などに使用される層板に関するものである。
【背景技術】
【０００２】
一般に、置物フレーム、収納箱、屏風等の物品の材料は、多くが、例えば、木材、プラスチック等で、これらの物品は、実用功能以外に、緻密で、優美な外観に製作でき、装飾効果をもたらす。竹材や木材で製造された収納装置は、素朴な特色があり、欧米でも人気が高い。
【０００３】
現在、竹材により製造された物品は、多くが編織方式で板素子を形成して、その他の物品に組み立てるが、編織でなる板素子は撓性を有し、高い剛性が要求される板素子の製造には適さない。
【考案の開示】
【考案が解決しようとする課題】
【０００４】
本考案の目的は、竹製層板構造を提供し、上述の問題を改善することにある。
【課題を解決するための手段】
【０００５】
本考案の竹製層板構造は、主に、竹製の方形フレーム体上面に複数の竹材細板を嵌設して層板を構成し、層板下方両側と中間に、それぞれ、トラックと中間トラックを有し、且つ、トラックとフレーム体の下面の間に距離を有して、相隣する両トラックに、枠を有する置物袋を組み合わせ、枠が両トラックに沿って滑動し、引き出しの功能を有する。フレームを組み合わせて、竹製層板をフレーム間に組み合わせて、屏風にすることもできる。
【０００６】
本考案の竹製層板構造は、フレーム体内径の中間両側に補強棒を連接し、且つ、補強棒は竹材細板を嵌設することができる。
【考案の効果】
【０００７】
本考案の竹製層板構造は、強度があり、引き出しや屏風を製作することができる。
【考案を実施するための最良の形態】
【０００８】
図１と図２は、本考案の竹製層板構造の第一実施例で、竹材により方形の封閉枠状のフレーム体１と複数の竹材細板２を構成する。枠内径中間は、両側に補強棒１２を連接し、補強棒１２、及び、補強棒１２と平行なフレーム体１の両側上面に、複数の直線対応する嵌槽１１と１２１を有する。竹材細板２は、それぞれ、フレーム体１両側の嵌槽１１、及び、補強棒１２上に直線対応する各嵌槽１２１に嵌設されて、図１で示されるような竹製層板を構成する。
【０００９】
この他、本考案は、図１で示される層板を面積の小さい層板に生成し（図３と図４で示される）、面積が小さいので、前述の補強棒を省略し、フレーム体１の両側上面に複数の直線対応する嵌槽１１を設置し、複数の竹材細板２をそれぞれ、直線対応する嵌槽１１内に嵌設する。
【００１０】
図５を参照すると、本考案は、二トラック３を提供し、トラック３上面の相対両側に、それぞれ、上方に突起する凸ブロック３１を有し、二トラック３の凸ブロック３１は、それぞれ、フレーム体１両側下面に接触し、ねじにより凸ブロック３１を穿過して、凸ブロック３１をフレーム体１に鎖固し、トラック３とフレーム体１下面の間に距離を保つ。
【００１１】
図６と図７を参照すると、本考案は、更に、置物袋４を提供し、置物袋４は袋体４２上方の開口周辺に枠４１を結合し、結合構造は、袋体４１の開口周辺に複数の耳部４２１を設置し、耳部４２１は、下から上に、枠４１の槽孔を穿過し、その後、棒４３により耳部４２１を穿過し、棒４３は槽孔両側に係止して、袋体４１を支承する。枠４１の両側は、板素子下方に設置された両トラック３に沿って滑動し、置物袋４は引き出し功能を有して、収納箱となる。
【００１２】
この他、図８は、更に、図６で示される構造上で、層板の下面中央に中間トラック３Aを設置して、中間トラック３Aの上面中央に上向きの突起ブロックを設置し、このブロックは補強棒１２の下面に接触し、ねじでブロックを穿過して、補強棒１２に鎖固し、中間トラック３Aとフレーム体１下面の間に距離を有する。中間トラック３Aとトラック３は、小さい置物袋４上方の枠の滑入を提供し、収納箱となる。
【００１３】
図９で示されるように、本考案のもう一つの実施例によると、竹製層板とフレーム５で屏風を形成し、フレーム５は、門構えフレーム５１、及び、二細棒５２からなり、門構えフレーム５１の両端は鞘槽５１１を設置する。細棒５２上端は、鞘槽５１１と相補する鞘ブロック５２１を設置し、鞘ブロック５２１と鞘槽５１１の組み合わせ後、ねじで鎖固し、両細棒５２の相対両側に、フレーム体１を滑動させる槽溝５２２を有し、門構えフレーム５１が、細棒５２を組み合わせる前、まず、複数の竹製板素子のフレーム体１を槽溝５２２から滑入し、その後、門構えフレーム５１を両細棒５２に組み合わせて、屏風を構成する。使用者は、好みに応じて、竹材板を横向き、又は、縦向きに配列して、フレーム５に組み合わせ、大面積の屏風を構成することもできる（図１０で示される）。
【００１４】
図１１は、本考案のもう一つの実施例を示す図で、更に、二側フレーム６を提供し、二側フレーム６の間に複数の竹製層板を組み合わせ、これらの竹製層板は垂直方向に配列して、置物フレーム、又は、陳列棚を構成する。竹製層板のトラック３は、更に、枠４１を有する置物袋４を合わせて、収納箱としても使用できる。
【図面の簡単な説明】
【００１５】
【図１】本考案の竹製層板の第一実施例の立体図である。
【図２】図１の竹材板とフレーム体の組み合わせ関係の立体分解図である。
【図３】本考案の竹製層板の第二実施例の立体図である。
【図４】図３の竹材板とフレーム体の組み合わせ関係の立体分解図である。
【図５】本考案の竹製層板の下方両側にトラックを設置した実施例の立体図である。
【図６】本考案のトラックを有する竹製層板に置物袋を組み合わせた実施例の立体図である。
【図７】図６の素子組み合わせ後の状態図である。
【図８】本考案の竹製層板の両側と中間にトラックを設置し、置物袋を組み合わせた実施例の立体図である。
【図９】本考案の竹製層板にフレームを組み合わせて屏風にする実施例の立体分解図である。
【図１０】本考案の組み合わせ後の複数の屏風を大面積の屏風に配列した実施例の立体図である。
【図１１】本考案の竹製層板に両側フレームを組み合わせて置物フレームとし、置物袋を組み合わせた実施例の立体図である。
【符号の説明】
【００１６】
封閉枠状のフレーム体１
複数の竹材細板２
トラック３
置物袋４
凸ブロック３１
袋体４２
耳部４２１
棒４３
中間トラック３A
フレーム５
門構えフレーム５１
細棒５２
鞘槽５１１
鞘ブロック５２１
槽溝５２２
二側フレーム６
嵌槽１１、１２１
補強棒１２
【図１】
0003146760.tif 000003
【図２】
0003146760.tif 000004
【図３】
0003146760.tif 000005
【図４】
0003146760.tif 000006
【図５】
0003146760.tif 000007
【図６】
0003146760.tif 000008
【図７】
0003146760.tif 000009
【図８】
0003146760.tif 000010
【図９】
0003146760.tif 000011
【図１０】
0003146760.tif 000012
【図１１】
0003146760.tif 000013